(57)【要約】【課題】纏め貨幣の払い出し数の設定作業の作業性を向上させることができる貨幣処理機の提供。【解決手段】バラ収納部のバラ貨幣を所定枚数一纏めに一体化して纏め貨幣を作製する纏め作製手段と、纏め貨幣を収納する纏め収納部と、纏め収納部の纏め貨幣を機外へ払い出す纏め出金手段と、を備え、さらに、纏め収納部に収納されている纏め貨幣の纏め収納在高と、バラ収納部に収納されているバラ貨幣から纏め作製手段によって纏め貨幣を作製した場合の纏め貨幣の纏め作製可能在高とを加算して纏め出金可能総在高を割り出す纏め出金可能総在高割出手段と、操作部５への貨幣を機外へ払い出す払出操作の入力時に、纏め出金可能総在高割出手段で割り出された纏め出金可能総在高を表示部５に表示させる案内手段と、を備える。【選択図】図１３
2019215921.tif 000002
【特許請求の範囲】
【請求項１】
バラ貨幣を収納するバラ収納部と、
前記バラ収納部のバラ貨幣を所定枚数一纏めに一体化して纏め貨幣を作製する纏め作製手段と、
纏め貨幣を収納する纏め収納部と、
前記纏め収納部の纏め貨幣を機外へ払い出す纏め出金手段と、
を備えた貨幣処理機であって、
さらに、
前記纏め収納部に収納されている纏め貨幣の纏め収納在高と、前記バラ収納部に収納されているバラ貨幣から前記纏め作製手段によって纏め貨幣を作製した場合の纏め貨幣の纏め作製可能在高とを加算して纏め出金可能総在高を割り出す纏め出金可能総在高割出手段を備えたことを特徴とする貨幣処理機。
【請求項２】
バラ貨幣を収納するバラ収納部と、
前記バラ収納部のバラ貨幣を所定枚数一纏めに一体化して纏め貨幣を作製する纏め作製手段と、
前記纏め作製手段によって作製された纏め貨幣を機外へ払い出す纏め放出手段と、
を備えた貨幣処理機であって、
さらに、
前記バラ収納部のバラ貨幣から前記纏め作製手段によって纏め貨幣を作製した場合の纏め貨幣の纏め出金可能総在高を割り出す纏め出金可能総在高割出手段を備えたことを特徴とする貨幣処理機。
【請求項３】
バラ貨幣を収納するバラ収納部と、
前記バラ収納部のバラ貨幣を所定枚数一纏めに一体化して纏め貨幣を作製する纏め作製手段と、
纏め貨幣を収納する纏め収納部と、
前記纏め収納部の纏め貨幣を機外へ払い出す纏め出金手段と、
を備えた貨幣処理機で用いられる纏め貨幣の処理方法であって、
前記纏め収納部に収納されている纏め貨幣の纏め収納在高と、前記バラ収納部に収納されているバラ貨幣から前記纏め作製手段によって纏め貨幣を作製した場合の纏め貨幣の纏め作製可能在高とを加算して纏め出金可能総在高を割り出すことを特徴とする纏め貨幣の処理方法。
【請求項４】
バラ貨幣を収納するバラ収納部と、
前記バラ収納部のバラ貨幣を所定枚数一纏めに一体化して纏め貨幣を作製する纏め作製手段と、
前記纏め作製手段によって作製された纏め貨幣を機外へ払い出す纏め放出手段と、
を備えた貨幣処理機で用いられる纏め貨幣の処理方法であって、
前記バラ収納部のバラ貨幣から前記纏め作製手段によって纏め貨幣を作製した場合の纏め貨幣の纏め出金可能総在高を割り出すことを特徴とする纏め貨幣の処理方法。
【発明の詳細な説明】
【技術分野】
【０００１】
本発明は、纏め貨幣を取り扱う貨幣処理機および纏め貨幣の処理方法に関する。
【背景技術】
【０００２】
貨幣処理機は、機内の金種別の在高を認識する機能を有しており、出金総額を指定あるいは認識する際、及び、一のグループの金種及び金額を指定あるいは認識する際の少なくともいずれか一方において、指定あるいは認識した金額を上記した在高と比較する手段を設けて、指定あるいは認識した金額が在高を越えないときに、出金処理を行えるものがある（例えば、特許文献１参照）。  
【先行技術文献】
【特許文献】
【０００３】
【特許文献１】特開２００３−１５０７９３号公報
【発明の概要】
【発明が解決しようとする課題】
【０００４】
ところで、貨幣処理機には、バラ貨幣と、バラ貨幣を所定の纏め枚数一纏めに一体化した纏め貨幣（小束紙幣や包装硬貨）とを出金する機能を有するものがあり、さらに、バラ貨幣から機内で纏め貨幣を作製し、機内に纏め貨幣を保管したり機外へ纏め貨幣を出金する機能を有する貨幣処理機も存在する。そして、このような貨幣処理機においては、特に纏め貨幣の払い出し数を設定する際に、最大いくつの纏め貨幣を払い出すことができるのかが不明であるという課題がある。
【０００５】
本発明は、纏め出金可能総在高を割り出すことができる貨幣処理機および纏め貨幣の処理方法の提供を目的とする。
【課題を解決するための手段】
【０００６】
本発明に係る第１の態様は、バラ貨幣を収納するバラ収納部と、前記バラ収納部のバラ貨幣を所定枚数一纏めに一体化して纏め貨幣を作製する纏め作製手段と、纏め貨幣を収納する纏め収納部と、前記纏め収納部の纏め貨幣を機外へ払い出す纏め出金手段と、を備えた貨幣処理機であって、さらに、前記纏め収納部に収納されている纏め貨幣の纏め収納在高と、前記バラ収納部に収納されているバラ貨幣から前記纏め作製手段によって纏め貨幣を作製した場合の纏め貨幣の纏め作製可能在高とを加算して纏め出金可能総在高を割り出す纏め出金可能総在高割出手段を備えたことを特徴とする。
【０００７】
本発明に係る第２の態様は、バラ貨幣を収納するバラ収納部と、前記バラ収納部のバラ貨幣を所定枚数一纏めに一体化して纏め貨幣を作製する纏め作製手段と、前記纏め作製手段によって作製された纏め貨幣を機外へ払い出す纏め放出手段と、を備えた貨幣処理機であって、さらに、前記バラ収納部のバラ貨幣から前記纏め作製手段によって纏め貨幣を作製した場合の纏め貨幣の纏め出金可能総在高を割り出す纏め出金可能総在高割出手段を備えたことを特徴とする。
【０００８】
本発明に係る第３の態様は、バラ貨幣を収納するバラ収納部と、前記バラ収納部のバラ貨幣を所定枚数一纏めに一体化して纏め貨幣を作製する纏め作製手段と、纏め貨幣を収納する纏め収納部と、前記纏め収納部の纏め貨幣を機外へ払い出す纏め出金手段と、を備えた貨幣処理機で用いられる纏め貨幣の処理方法であって、前記纏め収納部に収納されている纏め貨幣の纏め収納在高と、前記バラ収納部に収納されているバラ貨幣から前記纏め作製手段によって纏め貨幣を作製した場合の纏め貨幣の纏め作製可能在高とを加算して纏め出金可能総在高を割り出すことを特徴とする。
【０００９】
本発明に係る第４の態様は、バラ貨幣を収納するバラ収納部と、前記バラ収納部のバラ貨幣を所定枚数一纏めに一体化して纏め貨幣を作製する纏め作製手段と、前記纏め作製手段によって作製された纏め貨幣を機外へ払い出す纏め放出手段と、を備えた貨幣処理機で用いられる纏め貨幣の処理方法であって、前記バラ収納部のバラ貨幣から前記纏め作製手段によって纏め貨幣を作製した場合の纏め貨幣の纏め出金可能総在高を割り出すことを特徴とする。
【発明の効果】
【００１０】
本発明によれば、纏め出金可能総在高を割り出すことができる貨幣処理機および纏め貨幣の処理方法を提供することができる。
【図面の簡単な説明】
【００１１】
【図１】本発明に係る貨幣処理機の一実施形態を示す斜視図である。
【図２】本発明に係る貨幣処理機の一実施形態を概略的に示す側断面図である。
【図３】同実施形態の側断面図であって、バラ入金計数処理ルートを太線で示すものである。
【図４】同実施形態の側断面図であって、バラ入金収納処理ルートを太線で示すものである。
【図５】同実施形態の側断面図であって、バラ入金返却処理ルートを太線で示すものである。
【図６】同実施形態の側断面図であって、バラ出金処理ルートを太線で示すものである。
【図７】同実施形態の側断面図であって、結束出金処理ルートを太線で示すものである。
【図８】同実施形態の側断面図であって、結束収納処理ルートを太線で示すものである。
【図９】同実施形態の側断面図であって、小束補充処理ルートを太線で示すものである。
【図１０】同実施形態の側断面図であって、収納束出金処理ルートを太線で示すものである。
【図１１】同実施形態の側断面図であって、収納束結束束出金処理ルートを太線で示すものである。
【図１２】同実施形態の制御部のブロック図である。
【図１３】同実施形態の操作表示部の払出操作画面を示す正面図である。
【図１４】同実施形態の操作表示部の払出操作画面を示す正面図である。
【図１５】同実施形態の操作表示部の払出操作画面を示す正面図である。
【図１６】同実施形態の操作表示部の払出操作画面を示す正面図である。
【図１７】同実施形態の操作表示部の払出操作画面を示す正面図である。
【図１８】同実施形態の操作表示部の払出操作画面を示す正面図である。
【発明を実施するための形態】
【００１２】
本発明に係る貨幣処理機の一実施形態を図面を参照して以下に説明する。図１は、貨幣処理機の一実施形態である紙幣および硬貨等を取り扱う出納機１０を示している。この出納機１０は、銀行等の金融機関の店舗に設置されて店舗全体の貨幣処理を管理するものである。出納機１０は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００１３】
出納機１０は、紙幣についての入出金処理等を行う紙幣処理装置１と、紙幣の特に新券についての出金処理等を行う新券処理装置２と、硬貨についての入出金処理等を行う硬貨処理装置３とが左右に並設されて構成されており、硬貨処理装置３の上部に、操作画面表示や案内表示、警告表示等を表示すると共に操作者による操作が入力されるタッチパネル式の操作表示部５（操作部，表示部）が設けられている。以下の説明における前後左右は、操作者側を前、操作者とは反対側を後、操作者から見て左右を左右とする。
【００１４】
図２に示すように、紙幣処理装置１には、その作動を制御する制御部８と、制御データ等を記憶する記憶部９とが設けられている。また、紙幣処理装置１は、その前面側の上下方向中間部に、機外からバラ紙幣（バラ貨幣）が投入されるとともに、機内から繰り出されるバラ紙幣を機外へ払い出すバラ入出金部１１（バラ出金手段）が設けられている。バラ入出金部１１は、その底部を構成する載置板１２が後下がりに傾斜した姿勢で昇降可能に設けられており、その奥側の支承面１３が載置板１２と直交するように後上がりに傾斜して設けられている。バラ入出金部１１には、紙幣が長さ方向を左右方向に沿わせた姿勢で載置板１２上に集積されることになり、紙幣は載置板１２の傾斜により後端縁が支承面１３に当接する。バラ入出金部１１の上部の後側には、載置板１２上に集積されたバラ紙幣を上端のものから一枚ずつ分離して所定の間隔をあけて機内へ繰り出すとともに機内からの紙幣をバラ入出金部１１に繰り出す繰出部１１ａが設けられている。なお、紙幣処理装置１内では、紙幣が、常に長さ方向を左右方向に沿わせた姿勢とされる。
【００１５】
バラ入出金部１１の下側には、紙幣処理装置１の前面位置に、受け付け不可と判定されたバラの入金リジェクト紙幣が機内から繰り出される入金リジェクト部１６が設けられている。バラ入出金部１１および入金リジェクト部１６の後側には、出金不可と判定されたバラの出金リジェクト紙幣を内部に収納する出金リジェクト部１７が設けられており、出金リジェクト部１７の後方の下部には紙幣を識別するバラ識別部１８が設けられている。
【００１６】
また、出金リジェクト部１７の後方の上部にはバラ紙幣を整列させながら水平姿勢で鉛直方向に所定の結束単位枚数（具体的には１００枚）だけ集積させる上下二つの整列部１９，２０が設けられており、これら整列部１９，２０の後方には、整列部１９，２０から水平状態のまま後方に送り出された集積紙幣を載置させて鉛直上方に上昇搬送する上昇搬送部２１が設けられている。
【００１７】
整列部１９，２０の上方には、上昇搬送部２１で上昇搬送され水平状態のまま前方に送り出された集積紙幣を纏め部材である結束テープで結束することにより、バラ紙幣を所定の結束単位枚数だけ纏めて結束テープで一体化した小束紙幣（纏め貨幣）を作製する結束部２２（纏め作製手段）が設けられている。この結束部２２は、一束ずつ小束紙幣を作成するもので、上昇搬送部２１から前方に送り出された集積紙幣を上下から挟持してＶ字状に屈曲させる挟持部材２３，２４を有しており、挟持部材２３，２４で集積紙幣を挟持しつつ、結束テープを周囲に巻き回して接着・切断した後、挟持部材２３，２４を結束テープから引き抜くことで小束紙幣を作成する。紙幣処理装置１内では、小束紙幣も、バラ紙幣同様、常に長さ方向を左右方向に沿わせた姿勢とされる。
【００１８】
結束部２２の前方には、結束部２２で上記のように結束された小束紙幣を前方に搬送する前方搬送部２５（纏め放出手段）が設けられている。前方搬送部２５は一束ずつ小束紙幣を前方に搬送する。また、前方搬送部２５の上方には、前方搬送部２５で前方に搬送された小束紙幣を上方に移送する昇降可能な昇降搬送受渡部２６（纏め貨幣出金手段，纏め放出手段）が設けられている。昇降搬送受渡部２６は、紙幣処理装置１の前面上部に設けられた束出金口２７（纏め貨幣出金手段，纏め放出手段）に小束紙幣を移送する。昇降搬送受渡部２６は、前方搬送部２５から受け取った小束紙幣を複数束上下に集積可能となっている。
【００１９】
束出金口２７は、前方に開口し後方に凹む形状をなしており、昇降搬送受渡部２６に載置された小束紙幣を機外へ払い出す。束出金口２７の前部開口位置には、これを開閉するシャッタ３２が設けられており、束出金口２７に小束紙幣が出し入れされる際にシャッタ３２が開かれる。シャッタ３２が開かれて、昇降搬送受渡部２６に載置された小束紙幣が機外に取り出されたり、昇降搬送受渡部２６に小束紙幣が装填されたりする。
【００２０】
束出金口２７の後側つまり裏側には、複数具体的には四つの束収納部２８〜３１が前後方向に並んで設けられており、昇降搬送受渡部２６の上側には、昇降搬送受渡部２６と束収納部２８〜３１との間で小束紙幣を移送する水平移動可能な水平搬送部３３（纏め貨幣出金手段）が設けられている。
【００２１】
束収納部２９（纏め収納部）は、所定の単一の第１金種（例えば一万円）の小束紙幣を上下方向に集積させて収納する金種別束収納部であり、束収納部３０（纏め収納部）も、所定の単一の第２金種（例えば五千円）の小束紙幣を上下方向に集積させて収納する金種別束収納部であり、束収納部３１（纏め収納部）も、所定の単一の第３金種（例えば千円）の小束紙幣を上下方向に集積させて収納する金種別束収納部である。対して、束収納部２８は、金種別束収納部２９〜３１に収納しきれない小束紙幣を金種混合で収納する混合束収納部である。勿論、束収納部２８〜３１のすべてを金種別の束収納部とすることも可能である。水平搬送部３３は、昇降搬送受渡部２６および束収納部２８〜３１から択一的に一束ずつ小束紙幣を受け取って搬送する。
【００２２】
また、紙幣処理装置１の下部には、複数のバラ収納カセット３５〜３８とプールカセット３９とが、前後方向に並んで設けられている。最も装置奥側のバラ収納カセット３５（バラ収納部）は、入金確定後の所定の単一の第１金種（例えば一万円）のバラ紙幣を上下に集積させた状態で収納する金種別バラ収納カセットであり、奥側から２番目のバラ収納カセット３６（バラ収納部）は、入金確定後の所定の単一の第２金種（例えば五千円）のバラ紙幣を上下に集積させた状態で収納する金種別バラ収納カセットである。また、奥側から３番目のバラ収納カセット３７（バラ収納部）は、入金確定後の所定の単一の第３金種（例えば千円）のバラ紙幣を上下に集積させた状態で収納する金種別バラ収納カセットである。対して、最も前側のバラ収納カセット３８は、金種別バラ収納カセット３５〜３７に収納しきれない入金確定後のバラ紙幣を上下に集積させた状態で収納する混合バラ収納カセットである。プールカセット３９は、入金された入金確定前の金種混合のバラ紙幣を上下に集積させた状態で一時貯留させる。
【００２３】
ここでは、金種別束収納部２９とバラ収納カセット３５とが同一の第１金種を収納し、金種別束収納部３０とバラ収納カセット３６とが同一の第２金種を収納し、金種別束収納部３１とバラ収納カセット３７とが同一の第３金種を収納するものとしている。しかしながら、これはあくまで一例であり、金種別束収納部２９〜３１および金種別バラ収納カセット３５〜３７のそれぞれの収納金種の設定は、これに限るものではなく、種々の設定が可能である。
【００２４】
金種別バラ収納カセット３５の上部には、その内部に紙幣を繰り出すとともに内部の紙幣を上端のものから一枚ずつ分離して繰り出す繰出部３５ａが設けられている。バラ収納カセット３５〜３８およびプールカセット３９は共通の構造になっており、よって、金種別バラ収納カセット３６の上部にも同様の繰出部３６ａが、金種別バラ収納カセット３７の上部にも同様の繰出部３７ａが、混合バラ収納カセット３８の上部にも同様の繰出部３８ａが、プールカセット３９の上部にも同様の繰出部３９ａが、それぞれ設けられている。
【００２５】
紙幣処理装置１の内部には、バラ紙幣を搬送する紙幣搬送路４１が各部を適宜繋ぐように設けられている。紙幣搬送路４１は、繰出部１１ａから後上がりに延出した後、後下がりに延出し、さらに鉛直下方に延出し、その後、前側に一旦延出した後、鉛直下方に延出し、さらに後方に延出して、途中上側に凸状に屈曲してバラ識別部１８を通って下方に延出し前方に延出して前端から下方に延出してプールカセット３９に接続される搬送路４１Ａを有している。
【００２６】
また、紙幣搬送路４１は、搬送路４１Ａの下部の途中から分岐して金種別バラ収納カセット３５に繋がる搬送路４１Ｂと、搬送路４１Ａの搬送路４１Ｂよりもプールカセット３９側から分岐して金種別バラ収納カセット３６に繋がる搬送路４１Ｃと、搬送路４１Ａの搬送路４１Ｃよりもプールカセット３９側から分岐して金種別バラ収納カセット３７に繋がる搬送路４１Ｄと、搬送路４１Ａの搬送路４１Ｄよりもプールカセット３９側から分岐して混合バラ収納カセット３８に繋がる搬送路４１Ｅと、搬送路４１Ａの搬送路４１Ｅよりもプールカセット３９側から分岐して上方に延出して搬送路４１Ａのバラ入出金部１１とバラ識別部１８との間に繋がる搬送路４１Ｆとを有している。
【００２７】
また、紙幣搬送路４１は、搬送路４１Ａの搬送路４１Ｅの分岐位置と搬送路４１Ｆの分岐位置との間位置から分岐して上方に延出して搬送路４１Ｆの途中位置に繋がる搬送路４１Ｇと、搬送路４１Ｆにおける搬送路４１Ｇの接続位置と搬送路４１Ａへの接続位置との間位置から分岐して入金リジェクト部１６に繋がる搬送路４１Ｈと、搬送路４１Ａにおける搬送路４１Ｆの接続位置とバラ入出金部１１との間位置から分岐し前方に延出して搬送路４１Ｈの途中位置に繋がる搬送路４１Ｉと、搬送路４１Ｈにおける搬送路４１Ｉの接続位置と入金リジェクト部１６との間位置から上方に分岐し後上がりに延出して出金リジェクト部１７に繋がる搬送路４１Ｊとを有している。
【００２８】
また、紙幣搬送路４１は、搬送路４１Ａにおけるバラ入出金部１１と搬送路４１Ｉの分岐位置との間位置と、搬送路４１Ｆの接続位置とバラ識別部１８との間位置とを繋ぐ搬送路４１Ｋと、搬送路４１Ａにおける搬送路４１Ｋの接続位置とバラ入出金部１１との間位置から後方に分岐して整列部１９に繋がる搬送路４１Ｌと、搬送路４１Ａにおける搬送路４１Ｋの接続位置と搬送路４１Ｌの接続位置との間から後方に分岐して整列部２０に繋がる搬送路４１Ｍとを有している。搬送路４１Ｋには、紙幣の表裏を反転させる表裏反転部４３が設けられている。
【００２９】
ここで、上記した搬送路４１Ａ〜４１Ｆは正逆両方向に紙幣を搬送可能となっており、搬送路４１Ｇ〜４１Ｍは一方向にのみ紙幣を搬送可能となっている。
【００３０】
上部にあるバラ入出金部１１、入金リジェクト部１６、出金リジェクト部１７、バラ識別部１８、整列部１９，２０、上昇搬送部２１、結束部２２、前方搬送部２５、昇降搬送受渡部２６、束収納部２８〜３１、水平搬送部３３および表裏反転部４３は、本体４５内に配置されており、その下部にある、金種別バラ収納カセット３５〜３７、混合バラ収納カセット３８およびプールカセット３９が、本体４５から紙幣処理装置１の前後方向に沿って前面側に引き出し可能な引出体４６内に配置されている。
【００３１】
「バラ入金計数処理」
図３の太線は、機外からバラ入出金部１１に投入されたバラ紙幣を搬送しつつ識別計数するバラ入金計数処理のルートを示している。つまり、バラ入出金部１１の載置板１２上にバラ紙幣が載置されて、操作表示部５にバラ入金計数処理を行う旨の入力操作がなされると、繰出部１１ａがバラ入出金部１１の載置板１２上のバラ紙幣を上端のものから順に一枚ずつ分離して所定の間隔をあけて繰り出すことになり、繰り出したバラ紙幣を、搬送路４１Ａで搬送することになる。搬送路４１Ａでの搬送中にバラ識別部１８がバラ紙幣を識別計数することになり、バラ識別部１８で受け入れ可能と判定したバラ紙幣（取り扱い可能な金種のバラ紙幣）を、図３に太実線で示すように、搬送路４１Ａでプールカセット３９に搬送する一方、バラ識別部１８で受け入れ不可と判定したバラ紙幣を、図３に太破線で示すように、搬送路４１Ａ，４１Ｇ，４１Ｆ，４１Ｈで入金リジェクト部１６に搬送する。これにより、受け入れ可能なバラ紙幣をプールカセット３９に一時貯留し、受け入れ不可なバラ紙幣を入金リジェクト部１６に放出する。すると、入金リジェクト部１６がバラ紙幣を機外に取り出し可能に払い出す。
【００３２】
「バラ入金収納処理」
図４の太線は、バラ入金計数処理にてプールカセット３９に一時貯留したバラ紙幣を、操作表示部５への承認操作が入力されたことを条件に、確定して、金種別バラ収納カセット３５〜３７および混合バラ収納カセット３８の対応するものに収納するバラ入金収納処理のルートを示している。つまり、プールカセット３９のバラ紙幣を上端のものから繰出部３９ａが繰り出すことになり、繰り出したバラ紙幣を、図４に太実線で示すように、搬送路４１Ａ，４１Ｆでバラ識別部１８に搬送し、バラ識別部１８の識別結果に基づいて、搬送路４１Ａおよび搬送路４１Ｂ〜４１Ｅの対応するものによって金種別バラ収納カセット３５〜３７および混合バラ収納カセット３８の対応するものに搬送する。これにより、金種別バラ収納カセット３５〜３７および混合バラ収納カセット３８の対応するものにバラ紙幣を収納する。なお、収納処理にてバラ識別部１８で重送等と識別した紙幣については、図４に太破線で示すように、搬送路４１Ａ，４１Ｇ，４１Ｆ，４１Ｈ，４１Ｊによって出金リジェクト部１７に搬送し、出金リジェクト部１７に収納する。
【００３３】
「バラ入金返却処理」
図５の太線は、バラ入金計数処理にてプールカセット３９に一時貯留した紙幣を、操作表示部５へのキャンセル操作が入力されたことを条件に、バラ入出金部１１に繰り出して機外へ払い出すバラ入金返却処理のルートを示している。つまり、プールカセット３９のバラ紙幣を上端のものから繰出部３９ａが繰り出すことになり、繰り出したバラ紙幣を、搬送路４１Ａによってバラ入出金部１１に搬送する。すると、バラ入出金部１１がバラ紙幣を機外に取り出し可能に払い出す。
【００３４】
「バラ入出金部補充処理」
上記したバラ入金計数処理およびバラ入金収納処理と同様の処理を行ってバラ入出金部１１に投入されたバラ紙幣を金種別バラ収納カセット３５〜３７および混合バラ収納カセット３８の対応するものに搬送して収納させる。
【００３５】
「プールカセット補充処理」
プールカセット３９に補充用の紙幣を機外で収納し、上記したバラ入金収納処理と同様の処理を行って、プールカセット３９に収納されているバラ紙幣を金種別バラ収納カセット３５〜３７および混合バラ収納カセット３８の対応するものに搬送して収納させる。
【００３６】
「バラ出金処理」
図６の太線は、操作表示部５へ入力されたバラ紙幣出金操作に基づいて、金種別バラ収納カセット３５、金種別バラ収納カセット３６および金種別バラ収納カセット３７の指定された金種のものからバラ紙幣を機外へ払い出すバラ出金処理のルートを示している。つまり、バラ出金処理では、図６に太実線で示すように、金種別バラ収納カセット３５〜３７の指定された金種のものに収納されているバラ紙幣を上端のものから繰出部３５ａ〜３７ａの対応するものが繰り出すことになり、繰り出したバラ紙幣を、搬送路４１Ｂ〜４１Ｄの対応するものと、搬送路４１Ａとでバラ識別部１８に搬送し、バラ識別部１８の識別結果に基づいて、表裏反転が必要でないものは搬送路４１Ａでバラ入出金部１１に、表裏反転が必要なものは搬送路４１Ｋを介して表裏反転部４３で表裏反転させた後、搬送路４１Ａでバラ入出金部１１に、それぞれ搬送する。これにより、バラ紙幣出金操作に基づくバラ紙幣をバラ入出金部１１に繰り出して機外へ払い出す。つまり、バラ入出金部１１は、金種別バラ収納カセット３５〜３７のバラ紙幣を機外へ払い出す。なお、バラ出金処理にてバラ識別部１８で重送等と識別した紙幣については、図６に太破線で示すように、搬送路４１Ａ，４１Ｉ，４１Ｈ，４１Ｊによって出金リジェクト部１７に搬送し、出金リジェクト部１７に収納する。
【００３７】
「結束出金処理」
図７の太線は、操作表示部５へ入力された結束出金操作に基づいて、金種別バラ収納カセット３５、金種別バラ収納カセット３６および金種別バラ収納カセット３７の指定された金種のものからのバラ紙幣を結束して小束紙幣として機外へ払い出す結束出金処理のルートを示している。つまり、結束出金処理では、図７に太実線で示すように、金種別バラ収納カセット３５〜３７のうち指定された金種のものに収納されているバラ紙幣を上端のものから繰出部３５ａ〜３７ａの対応するものが繰り出すことになり、繰り出した紙幣を、搬送路４１Ｂ〜４１Ｄの対応するものと、搬送路４１Ａとでバラ識別部１８に搬送し、整列部１９に集積させる場合、バラ識別部１８の識別結果に基づいて、表裏反転が必要でないものは搬送路４１Ａ，４１Ｌで整列部１９に、表裏反転が必要なものは搬送路４１Ｋを介して表裏反転部４３で表裏反転させた後、搬送路４１Ａ，４１Ｌで整列部１９に搬送する。また、整列部２０に集積させる場合、バラ識別部１８の識別結果に基づいて、表裏反転が必要でないものは搬送路４１Ａ，４１Ｍで整列部２０に、表裏反転が必要なものは搬送路４１Ｋを介して表裏反転部４３で表裏反転させた後、搬送路４１Ａ，４１Ｍで整列部２０に搬送する。これにより、指定された単一金種のバラ紙幣を所定の結束単位枚数（１００枚）だけ整列部１９あるいは整列部２０に繰り出す。
【００３８】
そして、整列部１９あるいは整列部２０の集積紙幣を、上昇搬送部２１で結束部２２に搬送し、結束部２２で結束を行って小束紙幣とし、この小束紙幣を前方搬送部２５で前方に搬送後、昇降搬送受渡部２６で上方に搬送して束出金口２７に取り出し可能に繰り出す。このような処理を指定された金種毎に指定された束数分行うことになる。つまり、結束部２２は、金種別バラ収納カセット３５〜３７のバラ紙幣を所定枚数一纏めに一体化して小束紙幣を作製する。なお、結束出金処理にてバラ識別部１８で重送等と識別したバラ紙幣については、図７に太破線で示すように、搬送路４１Ａ，４１Ｉ，４１Ｈ，４１Ｊによって出金リジェクト部１７に搬送し、出金リジェクト部１７に収納する。
【００３９】
ここで、昇降搬送受渡部２６は、前方搬送部２５から受け取った小束紙幣を載置させる昇降可能なステージ５１と、上昇するステージ５１から小束紙幣を受け取る昇降可能かつ揺動可能な一対の昇降フラッパ５２とを有している。ステージ５１は下部位置で前方搬送部２５から小束紙幣を受け取ることになり、この位置から上昇して小束紙幣の束出金口２７からの取り出しを可能とする。一対の昇降フラッパ５２は、ステージ５１上の小束紙幣に対し、相対的に上から下に移動した後、下から上に移動することで、ステージ５１上から小束紙幣を受け取ることになり、これを繰り返すことでステージ５１から受け取った複数の小束紙幣を上下に集積可能となっている。また、一対の昇降フラッパ５２は、ステージ５１に対し、相対的に上から下に移動することで、支持している小束紙幣を、ステージ５１に受け渡す。束出金口２７内に移動した状態のステージ５１上に載置されている小束紙幣は、シャッタ３２が開かれることで、束出金口２７から取り出し可能となり機外へ払い出される。この結束出金処理では、前方搬送部２５、昇降搬送受渡部２６および束出金口２７が、結束部２２によって作製された小束紙幣を、束収納部２８〜３１を介さずに機外へ払い出す。
【００４０】
「結束収納処理」
図８の太線は、操作表示部５へ入力された結束収納操作に基づいて、あるいは金種別バラ収納カセット３５〜３７のいずれかが満杯となったタイミングで、金種別バラ収納カセット３５、金種別バラ収納カセット３６および金種別バラ収納カセット３７の指定された金種のもの、あるいは満杯のものからバラ紙幣を繰り出し結束部２２で結束して束収納部２８〜３１に収納する結束収納処理のルートを示している。つまり、結束収納処理では、結束出金処理と同様にして結束部２２で結束された小束紙幣を前方搬送部２５および昇降搬送受渡部２６で束出金口２７の上側まで搬送し、水平搬送部３３で束出金口２７の裏側の束収納部２８〜３１の適宜のものに収納させる。束収納部２８〜３１は、いずれも小束紙幣を水平状態に配置し鉛直方向に集積させて収納するもので、水平搬送部３３から小束紙幣を受け取って収納可能であり、収納した小束紙幣を水平搬送部３３に受け渡し可能となっている。
【００４１】
昇降搬送受渡部２６の一対の昇降フラッパ５２は、ステージ５１から小束紙幣を受け取って、束出金口２７の上側まで上昇可能であり、水平搬送部３３は、一対の昇降フラッパ５２で上方搬送された小束紙幣を、水平状態のまま上側で把持して束出金口２７の裏側である後側に向けて水平搬送して、束収納部２８〜３１の搬送先のものに上側から受け渡す。また、水平搬送部３３は、束収納部２８〜３１の受取先のものから小束紙幣を受け取って前方に搬送し、昇降搬送受渡部２６の一対の昇降フラッパ５２に受け渡す。結束収納処理では、結束部２２で作製された小束紙幣を、前方搬送部２５、昇降搬送受渡部２６および水平搬送部３３で束収納部２８〜３１の収納先のものに搬送し収納させる。束出金口２７と最も前側の束収納部２８との間には、小束紙幣の画像データ等を検出して金種を識別する束識別部５５が設けられている。
【００４２】
「小束補充処理」
図９の太線は、操作表示部５へ入力された小束補充操作に基づいて、束出金口２７に外から直接投入された小束紙幣を束収納部２８〜３１の対応するものに収納する小束補充処理のルートを示している。つまり、小束補充処理では、補充する小束紙幣が束出金口２７を介して昇降搬送受渡部２６のステージ５１上に直接装填されることになり、昇降搬送受渡部２６のステージ５１上に載置された一束または複数束の小束紙幣を昇降搬送受渡部２６の一対の昇降フラッパ５２がステージ５１から受け取り上方に搬送して水平搬送部３３に受け渡し、水平搬送部３３が束識別部５５の識別結果に基づいて、束収納部２８〜３１の対応するものに収納させる。
【００４３】
「収納束出金処理」
図１０の太線は、操作表示部５へ入力された収納束出金操作に基づいて、金種別束収納部２９〜３１に収納されている小束紙幣を束出金口２７から機外へ払い出す収納束出金処理のルートを示している。つまり、金種別束収納部２９〜３１に収納されている小束紙幣のうち操作表示部５へ入力で指定されたものを、水平搬送部３３が束出金口２７の上方位置に搬送し、昇降搬送受渡部２６の一対の昇降フラッパ５２に受け渡す。その際に、一対の昇降フラッパ５２は、水平搬送部３３から複数の小束紙幣を受け取って集積させることができる。その後、一対の昇降フラッパ５２を下降させて、束出金口２７の位置にあるステージ５１に受け渡し、シャッタ３２を開くことで、昇降搬送受渡部２６上の小束紙幣が束出金口２７から機外へ取り出し可能に払い出される。つまり、水平搬送部３３、昇降搬送受渡部２６および束出金口２７が、金種別束収納部２９〜３１の小束紙幣を機外へ払い出す。
【００４４】
「収納束結束束出金処理」
図１１の太線は、操作表示部５へ入力された収納束出金操作に基づいて、金種別束収納部２９〜３１に収納に収納されている小束紙幣を束出金口２７から機外へ払い出すとともに、不足する小束紙幣を結束して束出金口２７から機外へ払い出す収納束結束束出金処理のルートを示している。つまり、上記した収納束出金処理と同様にして、金種別束収納部２９〜３１に収納に収納されている小束紙幣のうち操作表示部５へ入力で指定されたものを、水平搬送部３３で搬送して、ステージ５１上に載置させる作動を行った後、一対の昇降フラッパ５２を上昇させて、ステージ５１上の小束紙幣を一対の昇降フラッパ５２に受け取らせ、その後、上記した結束出金処理と同様に、下部位置でステージ５１上に前方搬送部２５から小束紙幣を受け取って、小束紙幣を一対の昇降フラッパ５２に受け渡すことを必要により繰り返して、最終的に、一対の昇降フラッパ５２からステージ５１上に小束紙幣を受け取った状態でシャッタ３２を開いて束出金口２７から小束紙幣を機外へ払い出す。
【００４５】
制御部８は、金種別バラ収納カセット３５〜３７のそれぞれに収納されているバラ紙幣の在高であるバラ収納在高を管理する図１２に示すカセット在高管理手段６１と、金種別束収納部２９〜３１のそれぞれに収納されている小束紙幣の在高である小束収納在高（纏め収納在高）を管理する小束収納部在高管理手段６２とを有している。
【００４６】
カセット在高管理手段６１は、バラ紙幣を機外から受け入れるバラ入金計数処理、バラ入出金部補充処理およびプールカセット補充処理において、バラ紙幣の金種別バラ収納カセット３５〜３７のそれぞれへの入金量を、記憶部９に記憶されている金種別バラ収納カセット３５〜３７のそれぞれの在高に加算して、金種別バラ収納カセット３５〜３７のそれぞれの在高を更新し、記憶部９に記憶させる。
【００４７】
また、カセット在高管理手段６１は、バラ紙幣をそのままあるいは小束紙幣として機外に払い出す、バラ出金処理、結束出金処理および収納束結束束出金処理において、バラ紙幣の金種別バラ収納カセット３５〜３７のそれぞれからの出金量を、記憶部９に記憶されている金種別バラ収納カセット３５〜３７のそれぞれの在高から減算して、金種別バラ収納カセット３５〜３７のそれぞれの在高を更新し、記憶部９に記憶させる。
【００４８】
さらに、カセット在高管理手段６１は、バラ紙幣を小束紙幣とする結束収納処理において、小束紙幣とされたバラ紙幣の金種別バラ収納カセット３５〜３７のそれぞれからの繰り出し量を、記憶部９に記憶されている金種別バラ収納カセット３５〜３７のそれぞれの在高から減算して、金種別バラ収納カセット３５〜３７のそれぞれの在高を更新し、記憶部９に記憶させる。
【００４９】
以上のようにして、カセット在高管理手段６１は、記憶部９の記憶情報を読み出すことで、バラ紙幣を金種別に収納する金種別バラ収納カセット３５〜３７のそれぞれの在高であるバラ収納在高を把握する。
【００５０】
小束収納部在高管理手段６２は、小束紙幣を機外から受け入れる小束補充処理において、小束紙幣の金種別束収納部２９〜３１のそれぞれへの入金量を、記憶部９に記憶されている金種別束収納部２９〜３１のそれぞれの在高に加算して、金種別束収納部２９〜３１のそれぞれの在高を更新し、記憶部９に記憶させる。
【００５１】
また、小束収納部在高管理手段６２は、バラ紙幣を小束紙幣とする結束収納処理において、機内で作製された小束紙幣の金種別束収納部２９〜３１のそれぞれへの入金量を、記憶部９に記憶されている金種別束収納部２９〜３１のそれぞれの在高に加算して、金種別束収納部２９〜３１のそれぞれの在高を更新し、記憶部９に記憶させる。
【００５２】
また、小束収納部在高管理手段６２は、金種別束収納部２９〜３１の小束紙幣を機外に払い出す収納束出金処理および収納束結束束出金処理において、小束紙幣の金種別束収納部２９〜３１のそれぞれからの出金量を、記憶部９に記憶されている金種別束収納部２９〜３１のそれぞれの在高から減算して、金種別束収納部２９〜３１のそれぞれの在高を更新し、記憶部９に記憶させる。
【００５３】
以上のようにして、小束収納部在高管理手段６２は、記憶部９の記憶情報を読み出すことで、小束紙幣を金種別に収納する金種別束収納部２９〜３１のそれぞれの在高である小束収納在高を常に把握する。
【００５４】
また、制御部８は、カセット在高管理手段６１が把握している金種別バラ収納カセット３５〜３７のそれぞれのバラ収納在高に基づいて、金種別バラ収納カセット３５〜３７のそれぞれのバラ紙幣から結束部２２によって小束紙幣を作製した場合に作製可能な小束紙幣の最大在高である小束作製可能在高（纏め作製可能在高）を割り出す小束作製可能在高割出手段６３を有している。小束作製可能在高割出手段６３は、バラ収納在高を結束単位枚数で除した値の整数部分を小束作製可能在高とする。
【００５５】
具体例で説明すると、小束作製可能在高割出手段６３は、例えば、カセット在高管理手段６１が把握している金種別バラ収納カセット３５の第１金種（例えば一万円）のバラ収納在高が３５０枚である場合に、結束単位枚数が１００枚であることから、第１金種の小束作製可能在高を３束とする。同様にして、金種別バラ収納カセット３６の第２金種（例えば五千円）のバラ収納在高が２１０枚である場合に、第２金種の小束作製可能在高を２束とし、金種別バラ収納カセット３７の第３金種（例えば千円）のバラ収納在高が５００枚である場合に、第３金種（例えば千円）の小束作製可能在高を５束とする。
【００５６】
また、制御部８は、小束収納部在高管理手段６２が把握している金種別束収納部２９〜３１のそれぞれに収納されている小束紙幣の在高である小束収納在高と、小束作製可能在高割出手段６３で割り出された金種別の小束作製可能在高とを金種別に加算して、紙幣処理装置１において出金可能な小束紙幣の総在高である小束出金可能総在高（纏め出金可能総在高）を金種別に割り出す小束出金可能総在高割出手段６４（纏め出金可能総在高割出手段）を有している。
【００５７】
具体例で説明すると、小束出金可能総在高割出手段６４は、例えば、小束収納部在高管理手段６２が把握している金種別束収納部２９の第１金種（例えば一万円）の小束収納在高が３束であり、小束作製可能在高割出手段６３で割り出された第１金種の小束作製可能在高が上記のように３束である場合に、これらを加算して、第１金種の小束出金可能総在高を６束とする。また、小束収納部在高管理手段６２が把握している金種別束収納部３０の第２金種（例えば五千円）の小束収納在高が２束であり、小束作製可能在高割出手段６３で割り出された第２金種の小束作製可能在高が上記のように２束である場合に、これらを加算して、第２金種の小束出金可能総在高を４束とする。また、小束収納部在高管理手段６２が把握している金種別束収納部３１の第３金種（例えば千円）の小束収納在高が１束であり、小束作製可能在高割出手段６３で割り出された第３金種の小束作製可能在高が上記のように５束である場合に、これらを加算して、第３金種の小束出金可能総在高を６束とする。
【００５８】
さらに、制御部８は、操作を案内するための表示を操作表示部５に表示させる案内手段６５を有している。
【００５９】
バラ紙幣および小束紙幣の少なくともいずれか一方を紙幣処理装置１から払い出させる場合、操作者は、操作表示部５に所定の払出操作の入力を行う。操作表示部５に所定の払出操作が入力されると、制御部８は、小束作製可能在高割出手段６３が、カセット在高管理手段６１が把握している金種別バラ収納カセット３５〜３７のそれぞれのバラ収納在高に基づいて、金種別バラ収納カセット３５〜３７のそれぞれの小束作製可能在高を割り出す。
【００６０】
次に、制御部８は、小束出金可能総在高割出手段６４が、小束作製可能在高割出手段６３で割り出された金種別の小束作製可能在高と、小束収納部在高管理手段６２が把握している金種別束収納部２９〜３１のそれぞれの小束収納在高とを金種別に加算して小束出金可能総在高を金種別に割り出す。このとき、金種別束収納部２９〜３１のいずれかの小束収納在高が０の場合、小束出金可能総在高割出手段６４は、この金種については、小束作製可能在高割出手段６３で割り出された、金種別バラ収納カセット３５〜３７の対応するものの小束作製可能在高が、小束出金可能総在高となる。つまり、カセット在高管理手段６１が把握している金種別バラ収納カセット３５〜３７のそれぞれのバラ収納在高に基づいて、金種別バラ収納カセット３５〜３７のそれぞれのバラ紙幣から結束部２２によって小束紙幣を作製した場合に作製可能な小束紙幣の在高である小束作製可能在高が、小束出金可能総在高となる。
【００６１】
そして、制御部８は、その案内手段６５が、小束出金可能総在高割出手段６４で割り出された小束出金可能総在高を、図１３に示すように、操作表示部５の払出操作画面５Ａ内に表示させる。
【００６２】
図１３は、上記した具体例の場合の表示例である。つまり、小束収納部在高管理手段６２が把握している金種別束収納部２９の第１金種（図示例は一万円）の小束収納在高が３束であり、カセット在高管理手段６１が把握している金種別バラ収納カセット３５の第１金種のバラ収納在高が３５０枚であって、小束作製可能在高割出手段６３が割り出した第１金種の小束作製可能在高が３束であり、小束出金可能総在高割出手段６４が割り出した第１金種の小束出金可能総在高が６束である。このため、案内手段６５は、操作表示部５に、図１３に示す払出操作画面５Ａを表示させ、払出操作画面５Ａ内の小束紙幣の設定可能在高の第１金種用の表示領域Ｘ１に、第１金種の小束出金可能総在高である「６」を表示させる。
【００６３】
また、小束収納部在高管理手段６２が把握している金種別束収納部３０の第２金種（図示例は五千円）の小束収納在高が２束であり、カセット在高管理手段６１が把握している金種別バラ収納カセット３６の第２金種のバラ収納在高が２１０枚であって、小束作製可能在高割出手段６３が割り出した第２金種の小束作製可能在高が２束であり、小束出金可能総在高割出手段６４が割り出した第２金種の小束出金可能総在高が４束である。このため、案内手段６５は、払出操作画面５Ａ内の小束紙幣の設定可能在高の第２金種用の表示領域Ｘ２に、第２金種の小束出金可能総在高である「４」を表示させる。
【００６４】
また、小束収納部在高管理手段６２が把握している金種別束収納部３１の第３金種（図示例は千円）の小束収納在高が１束であり、カセット在高管理手段６１が把握している金種別バラ収納カセット３７の第３金種のバラ収納在高が５００枚であって、小束作製可能在高割出手段６３が割り出した第３金種の小束作製可能在高が５束であり、小束出金可能総在高割出手段６４が割り出した第３金種の小束出金可能総在高が６束である。このため、案内手段６５は、払出操作画面５Ａ内の小束紙幣の設定可能在高の第３金種用の表示領域Ｘ３に、第３金種の小束出金可能総在高である「６」を表示させる。
【００６５】
また、案内手段６５は、カセット在高管理手段６１が把握している金種別バラ収納カセット３５〜３７のそれぞれのバラ収納在高を操作表示部５の払出操作画面５Ａ内に表示させる。
【００６６】
上記した具体例の場合、カセット在高管理手段６１が把握している金種別バラ収納カセット３５の第１金種のバラ収納在高が３５０枚であるため、払出操作画面５Ａ内のバラ紙幣の設定可能在高の第１金種用の表示領域Ｘ４に、第１金種のバラ収納在高である「３５０」を表示させる。また、金種別バラ収納カセット３６の第２金種のバラ収納在高が２１０枚であるため、払出操作画面５Ａ内のバラ紙幣の設定可能在高の第２金種用の表示領域Ｘ５に、第２金種のバラ収納在高である「２１０」を表示させる。また、金種別バラ収納カセット３７の第３金種のバラ収納在高が５００枚であるため、払出操作画面５Ａ内のバラ紙幣の設定可能在高の第３金種用の表示領域Ｘ６に第３金種のバラ収納在高である「５００」を表示させる。
【００６７】
操作表示部５の払出操作画面５Ａの表示を見た操作者によって、操作表示部５に、先に小束紙幣の払い出しの束数である小束払出数（纏め払出数）が入力されて照合操作が入力されると、制御部８は、その小束出金可能残在高割出手段７１（纏め出金可能残在高割出手段）が、入力された小束払出数を、小束出金可能総在高割出手段６４が割り出した小束出金可能総在高から減算して、小束紙幣の残りの出金可能な在高である小束出金可能残在高（纏め出金可能残在高）を割り出す。また、操作表示部５に、先に小束払出数が入力されて照合操作が入力されると、制御部８は、そのバラ出金可能残在高割出手段７２が、入力された小束払出数の小束紙幣を払い出すために必要なバラ紙幣のバラ払出数を、カセット在高管理手段６１が把握している金種別バラ収納カセット３５〜３７のバラ紙幣のバラ収納在高から減算してバラ出金可能残在高を割り出す。
【００６８】
すると、案内手段６５が、操作表示部５への小束払出数の入力前に、操作表示部５の払出操作画面５Ａ内に表示させていた、小束出金可能総在高割出手段６４で割り出された小束出金可能総在高を、小束出金可能残在高割出手段７１で割り出された小束出金可能残在高に切り替える。つまり、案内手段６５は、操作表示部５への小束払出数の入力後に、入力前の操作表示部５の小束出金可能総在高の表示を小束出金可能残在高の表示に切り替える。
【００６９】
また、案内手段６５が、操作表示部５への小束払出数の入力前に、操作表示部５の払出操作画面５Ａ内に表示させていた金種別バラ収納カセット３５〜３７に収納されているバラ紙幣のバラ収納在高を、バラ出金可能残在高割出手段７２で割り出されたバラ出金可能残在高に切り替える。つまり、案内手段６５は、操作表示部５への小束払出数の入力後に、操作表示部５のバラ紙幣のバラ収納在高の表示をバラ出金可能残在高に切り替える。
【００７０】
上記した具体例で説明すると、小束出金可能総在高割出手段６４で割り出された第１金種（図示例は一万円）の小束出金可能総在高が６束である場合に、操作表示部５に、第１金種の小束払出数として４束が入力されて、払出操作画面５Ａ内の照合キーＹ１にこれに触れる照合操作が入力されると、小束出金可能残在高割出手段７１で割り出される第１金種の小束出金可能残在高は２束となる。すると、案内手段６５は、図１４に示すように、払出操作画面５Ａ内の小束紙幣の設定用入力払出数の第１金種用の表示領域Ｘ７に、入力された第１金種の小束払出数である「４」を表示させるとともに、払出操作画面５Ａ内の小束紙幣の設定可能在高の第１金種用の表示領域Ｘ１の表示を、小束出金可能残在高割出手段７１で割り出された第１金種の小束出金可能残在高である「２」に切り替える。このとき、第１金種の小束収納在高は３束であることから、４束を払い出すためには、金種別バラ収納カセット３５のバラ紙幣を結束部２２で結束して小束紙幣を１束作製することになり、よって、金種別バラ収納カセット３５のバラ収納在高が１００枚減ることになるため、金種別バラ収納カセット３５のバラ出金可能残在高が２５０枚となり、払出操作画面５Ａ内のバラ紙幣の設定可能在高の第１金種用の表示領域Ｘ４の表示を、このバラ出金可能残在高の「２５０」に切り替える。
【００７１】
また、小束出金可能総在高割出手段６４で割り出された第２金種（図示例は五千円）の小束出金可能総在高が４束である場合に、操作表示部５に、第２金種の小束払出数として２束が入力されて払出操作画面５Ａ内の照合キーＹ１に照合操作が入力されると、小束出金可能残在高割出手段７１で割り出される第２金種の小束出金可能残在高は２束となる。すると、案内手段６５は、図１４に示すように、払出操作画面５Ａ内の小束紙幣の設定用入力払出数の第２金種用の表示領域Ｘ８に、入力された第２金種の小束払出数である「２」を表示させるとともに、払出操作画面５Ａ内の小束紙幣の設定可能在高の第２金種用の表示領域Ｘ２の表示を、第２金種の小束出金可能残在高である「２」に切り替える。このとき、第２金種の小束収納在高は２束であることから、金種別バラ収納カセット３６のバラ紙幣を結束部２２で結束する必要はなく、金種別バラ収納カセット３６のバラ出金可能残在高は２１０枚のままとなり、払出操作画面５Ａ内のバラ紙幣の設定可能在高の第２金種用の表示領域Ｘ５に、このバラ出金可能残在高の「２１０」をそのまま表示させる。案内手段６５は、払出操作画面５Ａ内の合計金額用の表示領域Ｚ１に、小束払出数として入力された万円束４束と五千円束２束の払出合計金額である「５，０００，０００」を表示させる。
【００７２】
上記した小束払出数の後に、操作表示部５にバラ紙幣の払い出す枚数であるバラ払出数が入力されて照合操作が入力されると、制御部８は、そのバラ出金可能残在高割出手段７２が、入力されたバラ払出数を、それまでのバラ出金可能残在高から減算して、バラ紙幣の残りの出金可能な在高であるバラ出金可能残在高を更新する。また、このように操作表示部５にバラ払出数が入力されて照合操作が入力されると、制御部８は、小束作製可能残在高割出手段７４が、バラ出金可能残在高割出手段７２で更新されたバラ出金可能残在高から、結束部２２によって小束紙幣を作製した場合の小束紙幣の出金可能な小束作製可能残在高を割り出す。
【００７３】
すると、案内手段６５が、操作表示部５へのバラ払出数の入力前に、操作表示部５に表示させていた、小束出金可能残在高割出手段７１で割り出された小束出金可能残在高を、小束作製可能残在高割出手段７４で割り出された小束作製可能残在高の表示に切り替える。また、案内手段６５が、操作表示部５へのバラ払出数の入力前に、操作表示部５に表示させていた金種別バラ収納カセット３５〜３７に収納されているバラ紙幣のバラ出金可能残在高割出手段７２で割り出されたバラ出金可能残在高を、更新後のバラ出金可能残在高に切り替える。
【００７４】
上記した具体例で説明すると、図１４に示すように、払出操作画面５Ａ内の小束紙幣の設定用入力払出数の第１金種（図示例は一万円）用の表示領域Ｘ７に第１金種の小束払出数である「４」を表示させ、小束紙幣の設定可能在高の第１金種用の表示領域Ｘ１に、小束出金可能残在高割出手段７１で割り出された第１金種の小束出金可能残在高である「２」を表示させ、バラ紙幣の設定可能在高の第１金種用の表示領域Ｘ４に、第１金種のバラ出金可能残在高である「２５０」を表示させた状態から、操作表示部５に、第１金種のバラ払出数として６０枚が入力されて照合キーＹ１に照合操作が入力されると、第１金種のバラ出金可能残在高が１９０枚に更新され、小束作製可能残在高割出手段７４で割り出される第１金種の小束作製可能残在高は１束となる。すると、案内手段６５は、図１５に示すように、払出操作画面５Ａ内のバラ紙幣の設定用入力払出数の第１金種用の表示領域Ｘ１０に、入力された第１金種のバラ払出数である「６０」を表示させると共に、バラ紙幣の設定可能在高の第１金種用の表示領域Ｘ４の表示を、更新後の第１金種のバラ出金可能残在高である「１９０」に切り替え、小束紙幣の設定可能在高の第１金種用の表示領域Ｘ１の表示を、更新後のバラ出金可能残在高から割り出される第１金種の小束作製可能残在高である「１」に切り替える。
【００７５】
また、図１４に示すように、払出操作画面５Ａ内の小束紙幣の設定用入力払出数の第２金種（図示例は五千円）用の表示領域Ｘ８に第２金種の小束払出数である「２」を表示させ、小束紙幣の設定可能在高の第２金種用の表示領域Ｘ２に、小束出金可能残在高割出手段７１で割り出された第２金種の小束出金可能残在高である「２」を表示させ、バラ紙幣の設定可能在高の第２金種用の表示領域Ｘ６に、第２金種のバラ出金可能残在高である「２１０」を表示させた状態で、操作表示部５に、第２金種のバラ払出数として１０枚が入力されて照合キーＹ１に照合操作が入力されると、第２金種のバラ出金可能残在高が２００枚に更新され、小束作製可能残在高割出手段７４で割り出される第２金種の小束作製可能残在高は２束となる。すると、案内手段６５は、図１５に示すように、払出操作画面５Ａ内のバラ紙幣の設定用入力払出数の第２金種用の表示領域Ｘ１１に、入力された第２金種のバラ払出数である「１０」を表示させると共に、バラ紙幣の設定可能在高の第２金種用の表示領域Ｘ５の表示を、更新後の第２金種のバラ出金可能残在高である「２００」に切り替え、小束紙幣の設定可能在高の第２金種用の表示領域Ｘ２の表示を第２金種の小束作製可能残在高である「２」のままとする。また、案内手段６５は、払出操作画面５Ａ内の合計金額用の表示領域Ｚ１に、このときの払出合計金額の「５，６５０，０００」を表示させる。
【００７６】
上記とは逆に、操作表示部５の表示を見た操作者によって、先に、操作表示部５にバラ紙幣の払い出す枚数であるバラ払出数が入力されて照合キーＹ１に照合操作が入力されると、制御部８は、そのバラ払出可能残在高割出手段７５がバラ払出数を、カセット在高管理手段６１が把握している金種別バラ収納カセット３５〜３７のバラ紙幣のバラ収納在高から減算してバラ払出可能残在高を割り出す。また、操作表示部５にバラ払出数が入力されて照合キーＹ１に照合操作が入力されると、制御部８は、小束作製可能残在高割出手段７４が、バラ払出可能残在高割出手段７５が割り出したバラ払出可能残在高から結束部２２によって小束紙幣を作製した場合の小束紙幣の作製可能な小束作製可能残在高を割り出す。さらに、制御部８は、小束払出可能残在高割出手段７７（纏め払出可能残在高割出手段）が、小束収納部在高管理手段６２が把握している金種別束収納部２９〜３１の小束収納在高と小束作製可能残在高とを加算して纏め払出可能残在高を割り出す。
【００７７】
すると、案内手段６５は、操作表示部５へのバラ払出数の入力前に、操作表示部５に表示させていた、金種別バラ収納カセット３５〜３７に収納されているバラ紙幣のカセット在高管理手段６１で把握していたバラ収納在高を、バラ払出可能残在高割出手段７５で割り出されたバラ払出可能残在高に切り替える。また、案内手段６５は、操作表示部５へのバラ払出数の入力前に、操作表示部５に表示させていた、小束出金可能総在高割出手段６４で割り出された小束出金可能総在高の表示を、小束払出可能残在高割出手段７７で割り出された小束払出可能残在高の表示に切り替える。つまり、案内手段６５は、操作表示部５へのバラ払出数の入力後に、操作表示部５の小束出金可能総在高の表示を小束払出可能残在高の表示に切り替える。
【００７８】
上記した具体例で説明すると、小束収納部在高管理手段６２が把握している第３金種の小束収納在高が１束であり、小束作製可能在高割出手段６３で割り出された第３金種の小束作製可能在高が５束であって、小束出金可能総在高割出手段６４で割り出された小束出金可能総在高が６束であり、図１５に示すように、払出操作画面５Ａ内の小束紙幣の設定可能在高の第３金種（図示例は千円）用の表示領域Ｘ３に小束出金可能総在高の「６」を表示させ、金種別バラ収納カセット３７のバラ収納在高が５００枚であって、バラ紙幣の設定可能在高の第３金種用の表示領域Ｘ６にバラ収納在高の「５００」を表示させた状態で、操作表示部５に、第３金種のバラ払出数として２００枚が入力されて照合キーＹ１に照合操作が入力されると、バラ払出可能残在高割出手段７５が割り出すバラ払出可能残在高が３００枚となり、小束作製可能残在高割出手段７４が割り出す小束作製可能残在高が３束となり、小束収納部在高管理手段６２が把握している第３金種の金種別束収納部３１の小束収納在高が１束であるため、小束払出可能残在高割出手段７７で割り出される小束払出可能残在高が４束となる。すると、案内手段６５は、図１６に示すように、払出操作画面５Ａ内のバラ紙幣の設定用入力払出数の第３金種用の表示領域Ｘ１２に、入力された第３金種のバラ払出数である「２００」を表示させると共に、バラ紙幣の設定可能在高の第３金種用の表示領域Ｘ６の表示を、第３金種のバラ払出可能残在高である「３００」に切り替え、小束紙幣の設定可能在高の第３金種用の表示領域Ｘ３の表示を、第３金種の小束払出可能残在高である「４」に切り替える。案内手段６５は、払出操作画面５Ａ内の合計金額用の表示領域Ｚ１に、このときの払出合計金額の「５，８５０，０００」を表示させる。
【００７９】
上記したバラ払出数の後に、操作表示部５に小束払出数が入力されて照合操作が入力されると、制御部８は、その小束出金可能残在高割出手段７１が、小束払出数を、小束払出可能残在高割出手段７７で割り出された小束払出可能残在高から減算して、小束紙幣の残りの出金可能な在高である小束出金可能残在高を割り出す。また、このように操作表示部５に小束払出数が入力されて照合操作が入力されると、制御部８は、そのバラ払出可能残在高割出手段７５が、小束払出数の小束紙幣を払い出すために必要なバラ紙幣のバラ払出数をバラ払出可能残在高から減算してバラ払出可能残在高を更新する。
【００８０】
すると、案内手段６５が、操作表示部５への小束払出数の入力前に、操作表示部５に表示させていた、小束払出可能残在高割出手段７７で割り出された小束払出可能残在高を、小束出金可能残在高割出手段７１で割り出された小束出金可能残在高に切り替える。つまり、案内手段６５は、操作表示部５への小束払出数の入力後に、入力前の操作表示部５の小束払出可能残在高の表示を小束出金可能残在高の表示に切り替える。
【００８１】
また、案内手段６５が、操作表示部５への小束払出数の入力前に、操作表示部５に表示させていた、バラ払出可能残在高割出手段７５で割り出されたバラ払出可能残在高を、更新されたバラ払出可能残在高に切り替える。
【００８２】
上記した具体例で説明すると、小束払出可能残在高割出手段７７で割り出された第３金種の小束払出可能残在高が４束である場合に、操作表示部５に、第３金種の小束払出数として２束が入力されて照合キーＹ１に照合操作が入力されると、小束出金可能残在高割出手段７１で割り出される第３金種の小束出金可能残在高は２束となる。すると、案内手段６５は、図１７に示すように、払出操作画面５Ａ内の小束紙幣の設定用入力払出数の第３金種用の表示領域Ｘ９に第３金種の小束払出数である「２」を表示させるとともに、小束紙幣の設定可能在高の第３金種用の表示領域Ｘ３の表示を、小束出金可能残在高割出手段７１で割り出された第３金種の小束出金可能残在高である「２」に切り替える。このとき、第３金種の小束収納在高は１束であることから、２束を払い出すためには、金種別バラ収納カセット３７のバラ紙幣を結束部２２で結束して小束紙幣を１束作製することになり、よって、金種別バラ収納カセット３７のバラ収納在高が１００枚減ることになるため、金種別バラ収納カセット３７のバラ払出可能残在高が２００枚となり、バラ紙幣の設定可能在高の第３金種用の表示領域Ｘ６の表示を「２００」に切り替える。案内手段６５は、払出操作画面５Ａ内の合計金額用の表示領域Ｚ１に、このときの払出合計金額の「６，０５０，０００」を表示させる。
【００８３】
先に小束払出数を入力し、後にバラ払出数を入力する場合において、その後、小束払出数を変更することも可能であり、バラ払出数を変更することも可能である。また、先にバラ払出数を入力し、後に小束払出数を入力する場合に、その後、小束払出数を変更することも可能であり、バラ払出数を変更することも可能である。また、小束払出数を入力した後に小束払出数を変更したり、バラ払出数を入力後にバラ払出数を変更することも可能である。いずれの場合も、制御部８は、入力の変更に合わせて、操作表示部５の表示を変更する。勿論、小束払出数の設定のみを行ったり、バラ払出数の設定のみを行うことも可能である。また、操作表示部５への払出操作の入力には、小束払出数およびバラ払出数の少なくともいずれか一方について、少なくとも一つの金種が入力されれば良い。例えば、第１金種の小束払出数のみが入力されて照合操作が入力された場合、操作表示部５の設定画面で、第１金種に関する表示領域Ｘ１，Ｘ４のうちの少なくとも表示領域Ｘ１の表示が変化し、第２，第３金種に関する表示領域Ｘ２，Ｘ３，Ｘ５，Ｘ６の表示は変化しない。
【００８４】
そして、小束払出数およびバラ払出数のうちの少なくともいずれか一方の入力および照合操作後、操作表示部５の完了キーＹ２にこれに触れる設定完了操作が入力されると、制御部８は、小束払出数およびバラ払出数のうちの少なくともいずれか入力された一方を設定する。そして、設定された小束払出数が、０であるか、０より大きく小束収納在高以下であるか、小束収納在高より大きいかを、すべての金種についてそれぞれ判定し、それぞれの金種について、設定された小束払出数に応じて以下の処理を行う。
【００８５】
設定された小束払出数が０である場合、上記した結束出金処理、収納束出金処理および収納束結束束出金処理のいずれも行わない。また、設定された小束払出数が０より大きく小束収納在高が０であれば、結束出金処理を行って、設定された小束払出数の小束紙幣を機外に払い出す。また、設定された小束払出数が０より大きく小束収納在高以下であれば、収納束出金処理を行って、設定された小束払出数の小束紙幣を機外に払い出す。また、設定された小束払出数が小束収納在高より大きければ、収納束結束束出金処理を行って、設定された小束払出数の小束紙幣を機外に払い出す。また、それぞれに合わせて、設定されたバラ払出数がある場合、上記したバラ出金処理を行って、設定されたバラ払出数の小束紙幣を機外に払い出す。
【００８６】
図１３〜図１７に示す設定可能在高の表示領域Ｘ１〜Ｘ３の表示を廃止し、図１８に示すように、小束紙幣の設定用入力払出数の表示領域Ｘ７〜Ｘ９に、小束出金可能総在高割出手段６４で割り出された小束出金可能総在高等をポップアップ表示Ｘ１３〜Ｘ１５で表示させるようにしても良い。また、図１３〜図１７に示す設定可能在高の表示領域Ｘ４〜Ｘ６の表示を廃止し、バラ紙幣の設定用入力払出数の表示領域Ｘ１０〜Ｘ１２に、カセット在高管理手段６１が把握しているバラ収納在高等をポップアップ表示させるようにしても良い。
【００８７】
以上に述べた本実施形態によれば、小束出金可能総在高割出手段６４が、金種別束収納部２９〜３１に収納されている小束紙幣の小束収納在高と、金種別バラ収納カセット３５〜３７のバラ紙幣から結束部２２によって小束紙幣を作製した場合の小束紙幣の小束作製可能在高とを加算して小束出金可能総在高を割り出す。案内手段６５は、操作表示部５への紙幣を機外へ払い出す払出操作の入力時に、小束出金可能総在高割出手段６４で割り出された小束出金可能総在高を操作表示部５に表示させることになる。これにより、作業者は、小束出金可能総在高を参照して、払い出す小束紙幣の小束払出数を設定することができる。したがって、入力後に設定が不可となって入力のやり直しが必要となる可能性を低減でき、小束紙幣の払い出し数の設定作業の作業性を向上させることができる。
【００８８】
また、結束部２２によって作製された小束紙幣を、前方搬送部２５、昇降搬送受渡部２６および束出金口２７が金種別束収納部２９〜３１を介さずに機外へ払い出すため、結束部２２によって作製された小束紙幣の払い出しに要する時間を短縮できる。
【００８９】
また、案内手段６５が、操作表示部５への紙幣を機外へ払い出す払出操作の入力時に、操作表示部５への小束払出数の入力前には、小束出金可能総在高割出手段６４で割り出された小束出金可能総在高を操作表示部５に表示させている。そして、払い出す小束紙幣の小束払出数が入力されると、小束出金可能残在高割出手段７１が、小束払出数を小束出金可能総在高から減算して纏め出金可能残在高を割り出すことになり、操作表示部５への小束払出数の入力後に、案内手段６５が、操作表示部５の小束出金可能総在高の表示を小束出金可能残在高の表示に切り替える。これにより、作業者は、小束出金可能残在高を参照して、払い出す小束紙幣の小束払出数を再設定すること等が可能となる。したがって、小束紙幣の払い出し数の設定作業の作業性を向上させることができる。
【００９０】
また、案内手段６５が、操作表示部５への紙幣を機外へ払い出す払出操作の入力時に、操作表示部５への小束払出数の入力前には、金種別バラ収納カセット３５〜３７に収納されているバラ紙幣のバラ収納在高を操作表示部５に表示させている。そして、払い出す小束紙幣の小束払出数が入力されると、バラ出金可能残在高割出手段７２が、小束払出数の小束紙幣を払い出すために必要なバラ紙幣のバラ払出数を、金種別バラ収納カセット３５〜３７のバラ紙幣のバラ収納在高から減算してバラ出金可能残在高を割り出すことになり、操作表示部５への小束払出数の入力後に、案内手段６５が、操作表示部５のバラ紙幣のバラ収納在高の表示をバラ出金可能残在高に切り替える。これにより、作業者は、バラ出金可能残在高を参照して、払い出す小束紙幣の小束払出数を再設定すること等が可能となる。したがって、小束紙幣の払い出し数の設定作業の作業性を向上させることができる。
【００９１】
また、案内手段６５が、操作表示部５への紙幣を機外へ払い出す払出操作の入力時に、操作表示部５へのバラ払出数の入力前には、小束出金可能総在高割出手段６４で割り出された小束出金可能総在高を操作表示部５に表示させている。そして、払い出すバラ紙幣のバラ払出数が入力されると、バラ払出可能残在高割出手段７５が、バラ払出数を金種別バラ収納カセット３５〜３７のバラ紙幣のバラ収納在高から減算してバラ払出可能残在高を割り出し、小束作製可能残在高割出手段７４が、バラ払出可能残在高から結束部２２によって小束紙幣を作製した場合の小束紙幣の纏め作製可能残在高を割り出す。さらに、小束払出可能残在高割出手段７７が小束収納在高と纏め作製可能残在高とを加算して小束払出可能残在高を割り出す。操作表示部５へのバラ払出数の入力後に、案内手段６５は、操作表示部５の小束出金可能総在高の表示を小束払出可能残在高の表示に切り替える。これにより、作業者は、小束払出可能残在高を参照して、払い出すバラ紙幣のバラ払出数を再設定すること等が可能となる。したがって、バラ払出数の設定作業の作業性を向上させることができる。
【００９２】
以上においては、小束紙幣を出金可能に収納する金種別束収納部２９〜３１を有する紙幣処理装置１を例にとり説明したが、小束紙幣を収納する束収納部を持たない紙幣処理装置にも適用可能である。その場合、金種別束収納部２９〜３１のいずれにも小束紙幣が収納されていない場合と同様である。つまり、制御部８は、その小束出金可能総在高割出手段６４が、金種別バラ収納カセット３５〜３７に収納されたバラ紙幣から結束部２２によって小束紙幣を作製した場合の小束紙幣の小束出金可能総在高を割り出すことになり、案内手段６５が  操作表示部５への紙幣を機外へ払い出す払出操作の入力時に、小束出金可能総在高割出手段６４で割り出された小束出金可能総在高を操作表示部５に表示させることになる。
【００９３】
この構成によれば、小束出金可能総在高割出手段６４が、金種別バラ収納カセット３５〜３７のバラ紙幣から結束部２２によって小束紙幣を作製した場合の小束紙幣の小束出金可能総在高を割り出す。案内手段６５は、操作表示部５への貨幣を機外へ払い出す払出操作の入力時に、小束出金可能総在高割出手段６４で割り出された小束出金可能総在高を操作表示部５に表示させることになる。これにより、作業者は、小束出金可能総在高を参照して、払い出す小束紙幣の小束払出数を設定することができる。したがって、小束紙幣の払い出し数の設定作業の作業性を向上させることができる。
【００９４】
以上の実施形態では、バラ貨幣としてバラ紙幣を、バラ紙幣を一纏めに一体化した纏め貨幣として小束紙幣を、それぞれ取り扱う紙幣処理装置に本発明を適用する例を説明したが、バラ貨幣としてバラ硬貨を、纏め貨幣としてバラ硬貨を一纏めに一体化した包装硬貨（棒金）を、それぞれ取り扱う硬貨処理装置に本発明を適用することも可能である。
【００９５】
貨幣処理機には、バラ貨幣と、バラ貨幣を所定の纏め枚数一纏めに一体化した纏め貨幣（小束紙幣や包装硬貨）とを出金する機能を有するものがあり、さらに、バラ貨幣から機内で纏め貨幣を作製し、機内に纏め貨幣を保管したり機外へ纏め貨幣を出金する機能を有する貨幣処理機も存在する。そして、このような貨幣処理機においては、特に纏め貨幣の払い出し数を設定する際に、最大いくつの纏め貨幣を払い出すことができるのかが不明であり、入力後に設定が不可となって入力のやり直しが必要になるなど、設定作業の作業性を低下させてしまうという課題がある。
【００９６】
実施形態は、纏め貨幣の払い出し数の設定作業の作業性を向上させることができる貨幣処理機の提供を目的とする。
【００９７】
上記目的を達成するために、実施形態の第１の態様は、操作が入力される操作部と、表示を行う表示部と、バラ貨幣を収納するバラ収納部と、前記バラ収納部のバラ貨幣を機外へ払い出すバラ出金手段と、前記バラ収納部のバラ貨幣を所定枚数一纏めに一体化して纏め貨幣を作製する纏め作製手段と、纏め貨幣を収納する纏め収納部と、前記纏め収納部の纏め貨幣を機外へ払い出す纏め出金手段と、を備えた貨幣処理機であって、さらに、前記纏め収納部に収納されている纏め貨幣の纏め収納在高と、前記バラ収納部に収納されているバラ貨幣から前記纏め作製手段によって纏め貨幣を作製した場合の纏め貨幣の纏め作製可能在高とを加算して纏め出金可能総在高を割り出す纏め出金可能総在高割出手段と、前記操作部への貨幣を機外へ払い出す払出操作の入力時に、前記纏め出金可能総在高割出手段で割り出された前記纏め出金可能総在高を前記表示部に表示させる案内手段と、を備えたことを特徴とする。
【００９８】
第２の態様は、第１の態様において、さらに、前記纏め作製手段によって作製された纏め貨幣を、前記纏め収納部を介さずに機外へ払い出す纏め放出手段を備えることを特徴とする。
【００９９】
第３の態様は、操作が入力される操作部と、表示を行う表示部と、バラ貨幣を収納するバラ収納部と、前記バラ収納部のバラ貨幣を機外へ払い出すバラ出金手段と、前記バラ収納部のバラ貨幣を所定枚数一纏めに一体化して纏め貨幣を作製する纏め作製手段と、前記纏め作製手段によって作製された纏め貨幣を機外へ払い出す纏め放出手段と、を備えた貨幣処理機であって、さらに、前記バラ収納部のバラ貨幣から前記纏め作製手段によって纏め貨幣を作製した場合の纏め貨幣の纏め出金可能総在高を割り出す纏め出金可能総在高割出手段と、前記操作部への貨幣を機外へ払い出す払出操作の入力時に、前記纏め出金可能総在高割出手段で割り出された前記纏め出金可能総在高を前記表示部に表示させる案内手段と、を備えたことを特徴とする。
【０１００】
第４の態様は、第１乃至第３のいずれか一態様において、さらに、前記操作部への貨幣を機外へ払い出す払出操作の入力時に、払い出す纏め貨幣の纏め払出数が入力されると、前記纏め払出数を前記纏め出金可能総在高から減算して纏め出金可能残在高を割り出す纏め出金可能残在高割出手段を備え、前記案内手段は、前記操作部への前記纏め払出数の入力前に、前記纏め出金可能総在高割出手段で割り出された前記纏め出金可能総在高を前記表示部に表示させる一方、前記操作部への前記纏め払出数の入力後に、前記表示部の前記纏め出金可能総在高の表示を前記纏め出金可能残在高の表示に切り替えることを特徴とする。
【０１０１】
第５の態様は、第１乃至第４のいずれか一態様において、さらに、前記操作部への貨幣を機外へ払い出す払出操作の入力時に、払い出す纏め貨幣の纏め払出数が入力されると、前記纏め払出数の纏め貨幣を払い出すために必要なバラ貨幣のバラ払出数を、前記バラ収納部のバラ貨幣のバラ収納在高から減算してバラ出金可能残在高を割り出すバラ出金可能残在高割出手段を備え、前記案内手段は、前記操作部への前記纏め払出数の入力前に、前記バラ収納部に収納されているバラ貨幣の前記バラ収納在高を前記表示部に表示させる一方、前記操作部への前記纏め払出数の入力後に、前記表示部のバラ貨幣の前記バラ収納在高の表示を前記バラ出金可能残在高に切り替えることを特徴とする。
【０１０２】
第６の態様は、第１乃至第５のいずれか一態様において、さらに、前記操作部への貨幣を機外へ払い出す払出操作の入力時に、払い出すバラ貨幣のバラ払出数が入力されると、前記バラ払出数を前記バラ収納部のバラ貨幣のバラ収納在高から減算してバラ払出可能残在高を割り出すバラ払出可能残在高割出手段と、前記バラ払出可能残在高から前記纏め作製手段によって纏め貨幣を作製した場合の纏め貨幣の纏め作製可能残在高を割り出す纏め作製可能残在高割出手段と、前記纏め作製可能残在高に基づいて纏め払出可能残在高を割り出す纏め払出可能残在高割出手段と、を備え、前記案内手段は、前記操作部への前記バラ払出数の入力前に、前記纏め出金可能総在高割出手段で割り出された前記纏め出金可能総在高を前記表示部に表示させる一方、前記操作部への前記バラ払出数の入力後に、前記表示部の前記纏め出金可能総在高の表示を前記纏め払出可能残在高の表示に切り替えることを特徴とする。
【０１０３】
第１の態様によれば、纏め出金可能総在高割出手段が、纏め収納部に収納されている纏め貨幣の纏め収納在高と、バラ収納部のバラ貨幣から纏め作製手段によって纏め貨幣を作製した場合の纏め貨幣の纏め作製可能在高とを加算して纏め出金可能総在高を割り出す。案内手段は、操作部への貨幣を機外へ払い出す払出操作の入力時に、纏め出金可能総在高割出手段で割り出された纏め出金可能総在高を表示部に表示させることになる。これにより、作業者は、纏め出金可能総在高を参照して、払い出す纏め貨幣の纏め払出数を設定することができる。したがって、纏め貨幣の払い出し数の設定作業の作業性を向上させることができる。
【０１０４】
第２の態様によれば、纏め作製手段によって作製された纏め貨幣を、纏め放出手段が纏め収納部を介さずに機外へ払い出すため、纏め作製手段によって作製された纏め貨幣の払い出しに要する時間を短縮できる。
【０１０５】
第３の態様によれば、纏め出金可能総在高割出手段が、バラ収納部のバラ貨幣から纏め作製手段によって纏め貨幣を作製した場合の纏め貨幣の纏め出金可能総在高を割り出す。案内手段は、操作部への貨幣を機外へ払い出す払出操作の入力時に、纏め出金可能総在高割出手段で割り出された纏め出金可能総在高を表示部に表示させることになる。これにより、作業者は、纏め出金可能総在高を参照して、払い出す纏め貨幣の纏め払出数を設定することができる。したがって、纏め貨幣の払い出し数の設定作業の作業性を向上させることができる。
【０１０６】
第４の態様によれば、案内手段が、操作部への貨幣を機外へ払い出す払出操作の入力時に、操作部への纏め払出数の入力前には、纏め出金可能総在高割出手段で割り出された纏め出金可能総在高を表示部に表示させている。そして、払い出す纏め貨幣の纏め払出数が入力されると、纏め出金可能残在高割出手段が、纏め払出数を纏め出金可能総在高から減算して纏め出金可能残在高を割り出すことになり、操作部への纏め払出数の入力後に、案内手段が、表示部の纏め出金可能総在高の表示を纏め出金可能残在高の表示に切り替える。これにより、作業者は、纏め出金可能残在高を参照して、払い出す纏め貨幣の纏め払出数を再設定すること等が可能となる。したがって、纏め貨幣の払い出し数の設定作業の作業性を向上させることができる。
【０１０７】
第５の態様によれば、案内手段が、操作部への貨幣を機外へ払い出す払出操作の入力時に、操作部への纏め払出数の入力前には、バラ収納部に収納されているバラ貨幣のバラ収納在高を表示部に表示させている。そして、払い出す纏め貨幣の纏め払出数が入力されると、バラ出金可能残在高割出手段が、纏め払出数の纏め貨幣を払い出すために必要なバラ貨幣のバラ払出数を、バラ収納部のバラ貨幣のバラ収納在高から減算してバラ出金可能残在高を割り出すことになり、操作部への纏め払出数の入力後に、案内手段が、表示部のバラ貨幣のバラ収納在高の表示をバラ出金可能残在高に切り替える。これにより、作業者は、バラ出金可能残在高を参照して、払い出す纏め貨幣の纏め払出数を再設定すること等が可能となる。したがって、纏め貨幣の払い出し数の設定作業の作業性を向上させることができる。
【０１０８】
第６の態様によれば、案内手段が、操作部への貨幣を機外へ払い出す払出操作の入力時に、操作部へのバラ払出数の入力前には、纏め出金可能総在高割出手段で割り出された纏め出金可能総在高を表示部に表示させている。そして、払い出すバラ貨幣のバラ払出数が入力されると、バラ払出可能残在高割出手段が、バラ払出数をバラ収納部のバラ貨幣のバラ収納在高から減算してバラ払出可能残在高を割り出し、纏め作製可能残在高割出手段が、バラ払出可能残在高から纏め作製手段によって纏め貨幣を作製した場合の纏め貨幣の纏め作製可能残在高を割り出して、纏め払出可能残在高割出手段が纏め作製可能残在高に基づいて纏め払出可能残在高を割り出す。操作部へのバラ払出数の入力後に、案内手段は、表示部の纏め出金可能総在高の表示を纏め払出可能残在高の表示に切り替える。これにより、作業者は、纏め払出可能残在高を参照して、払い出すバラ貨幣のバラ払出数を再設定すること等が可能となる。したがって、バラ払出数の設定作業の作業性を向上させることができる。
【符号の説明】
【０１０９】
５  操作表示部
８  制御部
１０  出納機（貨幣処理機）
１１  バラ入出金部（バラ出金手段）
２２  結束部（纏め作製手段）
２５  前方搬送部（纏め放出手段）
２６  昇降搬送受渡部（纏め出金手段，纏め放出手段）
２７  束出金口（纏め出金手段，纏め放出手段）
２９〜３１  金種別束収納部（纏め収納部）
３３  水平搬送部（纏め出金手段）
３５〜３７  金種別バラ収納カセット（バラ収納部）
６４  小束出金可能総在高割出手段（纏め出金可能総在高割出手段）
６５  案内手段
７１  小束出金可能残在高割出手段（纏め出金可能残在高割出手段）
７２  バラ出金可能残在高割出手段
７４  小束作製可能残在高割出手段（纏め作製可能残在高割出手段）
７５  バラ払出可能残在高割出手段
７７  小束払出可能残在高割出手段（纏め払出可能残在高割出手段）
【図１】
2019215921.tif 000003
【図２】
2019215921.tif 000004
【図３】
2019215921.tif 000005
【図４】
2019215921.tif 000006
【図５】
2019215921.tif 000007
【図６】
2019215921.tif 000008
【図７】
2019215921.tif 000009
【図８】
2019215921.tif 000010
【図９】
2019215921.tif 000011
【図１０】
2019215921.tif 000012
【図１１】
2019215921.tif 000013
【図１２】
2019215921.tif 000014
【図１３】
2019215921.tif 000015
【図１４】
2019215921.tif 000016
【図１５】
2019215921.tif 000017
【図１６】
2019215921.tif 000018
【図１７】
2019215921.tif 000019
【図１８】
2019215921.tif 000020